(57)【特許請求の範囲】
【請求項１】
原稿に光を照射する光源と、
ＲＧＢ各色ごとのラインセンサが副走査方向に並べて配置され、これらラインセンサにより入射光を光電変換する撮像素子と、
前記原稿からの反射光を前記撮像素子に集光し、この集光動作の際に、ＲＧＢの各色成分に対して所定の色収差を有することにより、ＲＧＢのうちの少なくとも一つの色成分を他の色成分とは異なる光軸方向の位置に集光する結像レンズとを備えているカラー原稿読取装置の調整方法において、
遮光部材を副走査方向に移動させて、前記撮像素子への入射光の一部を遮断し、前記ＲＧＢ各色ごとのラインセンサの入射面における光量分布の副走査方向の位置を変化させることにより、前記撮像素子からの出力信号における副走査方向の色ずれを補正し、
前記遮光部材の副走査方向への移動は、前記遮光部材が上からばねで押し下げられ、下からねじで押し上げられることにより上下方向位置が固定される状態において、前記ねじを回して前記遮光部材を上下方向に移動させることにより行うことを特徴とするカラー原稿読取装置の調整方法。
【請求項２】
前記遮光部材は、前記結像レンズへの入射側の領域に配置されていることを特徴とする請求項１に記載のカラー原稿読取装置の調整方法。
【請求項３】
前記遮光部材は、前記結像レンズからの出射側の領域に配置されていることを特徴とする請求項１に記載のカラー原稿読取装置の調整方法。
【発明の詳細な説明】
【技術分野】
【０００１】
本発明は、原稿画像を読み取り、画像データを取得するカラー原稿読取装置の調整方法に関するものである。
【背景技術】
【０００２】
従来、スキャナ、ファクシミリおよび複写機等の装置は原稿読取装置を備え、この原稿読取装置により原稿の画像を読み取って画像データを取得している。原稿読取装置は、例えば特許文献１に記載されているように、ガラス製の原稿台の下方に、光源、反射ミラー、結像レンズ、および撮像素子（イメージセンサ）であるＣＣＤ（電荷結合素子：Charge Coupled Device）を備えている。この構成により、原稿台上に載置された原稿を光源および反射ミラーを移動させて走査し、原稿からの反射光を、反射ミラーによって結像レンズに導き、結像レンズにより撮像素子に結像させている。
【０００３】
なお、特許文献１では、遮光部材を使用してＣＣＤに入射する光量をＣＣＤ全体に渡って均等なものにしている。これは次の理由による。すなわち、上記光源としては、一般に、主走査方向（読取ライン方向）に延びる棒状の光源が使用されており、このような光源は、その軸方向の全てにおいて光量が均等ではなく、中央部で多く端部付近では少なくなっている。このような光量の偏りが存在する場合、画像の読取精度の劣化を招来する。そこで、遮光部材を使用して、ＣＣＤの読取ラインの中央部において結像レンズに入射する光量を最も制限し、両端方向の入射光量を相対的に多くしている。
【特許文献１】特開２００４−１９３８３９（平成１６年７月８日公開）
【発明の開示】
【発明が解決しようとする課題】
【０００４】
ところで、カラー原稿を読み取るカラー原稿読取装置は、撮像素子としてカラーＣＣＤを備え、このカラーＣＣＤに原稿からの反射光を結像レンズにて集光させている。上記カラーＣＣＤは、ＲＧＢの入射光成分をＲＧＢ各色ごとに光電変換する複数のＣＣＤラインセンサを備え、これらＣＣＤラインセンサは副走査方向(原稿読取り時における光源の移動方向)に並べて配置されている。
【０００５】
ところが、結像レンズは、色収差を有しているため、ＲＧＢ各色をそれぞれ正確に各ＣＣＤラインセンサ上に合焦することができず、ある程度の焦点ズレが存在している。また、各ＣＣＤラインセンサは、互いに所定の間隔を有して配置されているため、取付位置誤差が存在する。これら、結像レンズの色収差による上記焦点ズレおよび各ＣＣＤラインセンサの取付位置誤差が原因となって、カラー原稿読取装置では、読取り画像に副走査方向の色ズレが現れる。この副走査方向の色ズレについて、１画素単位の色ズレであれば、画像処理によってＲＧＢの画像データの相互の位置関係を修正することにより、修正可能である。しかしながら、1画素以下の色ズレについては画像処理によっても修正困難である。
【０００６】
一方、光学的に上記色ズレを低減する場合には、結像レンズとして収差の少ないレンズを使用すればよいものの、このようなレンズは高い加工精度を必要とし、非常に高価なものである。また、多数のレンズを組み合わせて収差を抑制した結像レンズを作製することも可能であるが、このような結像レンズは構造が複雑であり、かつ大型のものとなる。
【０００７】
したがって、本発明は、高い加工精度を必要とする収差の少ないレンズを使用することなく、副走査方向の色ズレを低減できるカラー原稿読取装置の調整方法の提供を目的としている。
【課題を解決するための手段】
【０００８】
上記の課題を解決するために、本発明のカラー原稿読取装置の調整方法は、原稿に光を照射する光源と、ＲＧＢ各色ごとのラインセンサが副走査方向に並べて配置され、これらラインセンサにより入射光を光電変換する撮像素子と、前記原稿からの反射光を前記撮像素子に集光し、この集光動作の際に、ＲＧＢの各色成分に対して所定の色収差を有することにより、ＲＧＢのうちの少なくとも一つの色成分を他の色成分とは異なる光軸方向の位置に集光する結像レンズとを備えているカラー原稿読取装置の調整方法において、遮光部材を副走査方向に移動させて、前記撮像素子への入射光の一部を遮断し、前記ＲＧＢ各色ごとのラインセンサの入射面における光量分布の副走査方向の位置を変化させることにより、前記撮像素子からの出力信号における副走査方向の色ずれを補正することを特徴としている。
【０００９】
上記の構成によれば、遮光部材を副走査方向に移動させて、撮像素子への入射光の一部を遮断し、ＲＧＢ各色ごとのラインセンサの入射面における光量分布の副走査方向の位置を変化させる。この場合、遮光部材の配置位置（移動位置）は、撮像素子からの出力信号における副走査方向の色ずれが小さくなくことを確認しながら行う。このような方法により、高い加工精度を必要とする収差の少ないレンズを使用することなく、副走査方向の色ズレを確実に低減することができる。
【００１０】
なお、結像レンズは、主走査方向と副走査方向とで異なる収差を有しており、光軸周りに回転させることにより、主走査方向と副走査方向とのいずれか一方の色ずれが少ない状態で取り付けることができる。そこで、上記調整は、結像レンズを予め主走査方向の色ずれが少ない状態で取り付けた上で行うのが好ましい。
【００１１】
上記のカラー原稿読取装置の調整方法において、前記遮光部材は、前記結像レンズへの入射側の領域に配置されている構成としてもよい。あるいは、前記遮光部材は、前記結像レンズからの出射側の領域に配置されている構成としてもよい。
【００１２】
また、上記のカラー原稿読取装置の調整方法において、前記遮光部材は、前記撮像素子への入射光の副走査方向におけるいずれか一方側の一部を遮断するように配置されている構成としてもよい。
【００１３】
上記のカラー原稿読取装置の調整方法において、前記遮光部材は開口部を有し、この開口部の周りの副走査方向に対向する二辺のうちのいずれか一辺を含む領域により、前記撮像素子への入射光の一部を遮断する構成としてもよい。
【００１４】
上記の構成によれば、一つの遮光部材を、副走査方向における一方側の一部の入射光を遮断する場合と、副走査方向における他方側の一部の入射光を遮断する場合とに使い分けることができる。
【００１５】
上記のカラー原稿読取装置の調整方法において、前記遮光部材における前記撮像素子への入射光の一部を遮断する辺は、前記撮像素子への入射光における主走査方向の光量を補正するように非直線形状に形成されている構成としてもよい。
【００１６】
上記の構成によれば、一つの遮光部材を、撮像素子からの出力信号における副走査方向の色ずれを補正用と撮像素子への入射光における主走査方向の光量補正用とに共用することができる。
【発明の効果】
【００１７】
上記のように、本発明の構成によれば、高い加工精度を必要とする収差の少ないレンズを使用することなく、副走査方向の色ズレを確実に低減することができる。
【発明を実施するための最良の形態】
【００１８】
本発明の実施の形態を図面に基づいて以下に説明する。
図１（ａ）は、本実施の形態のカラー原稿読取装置の調整方法に使用されるカラー原稿読取装置における、原稿に対しての走査開始前の状態を示す説明図であり、図１（ｂ）は、上記カラー原稿読取装置における、原稿に対しての走査終了時の状態を示す説明図である。
【００１９】
図１（ａ）に示す走査開始前の状態において、カラー原稿読取装置の第１走査ユニット２１は走査始端Ｐ１に配置され、図１（ｂ）に示す走査終了の状態において、上記第１走査ユニット２１は走査終端Ｐ１に到達する。なお、図１（ａ）および図１（ｂ）において、Ａ方向は副走査方向であり、このＡ方向に直交するＢ方向（紙面に垂直な方向）は主走査方向である。
【００２０】
カラー原稿読取装置は、図１（ａ）に示すように、原稿読取部２を備え、この原稿読取部２は、原稿台１２、光源１３、撮像素子１４および結像光学系１５を備えている。光源１３、撮像素子１４および結像光学系１５は、原稿台１２の下方に配置されている。
【００２１】
原稿台１２は、透明なガラスからなり、矩形板状に形成されている。この原稿台１２の上面の原稿載置面１１上には、カラー原稿読取装置の使用者によって、読み取り対象の原稿Ｄが載置される。光源１３は、原稿載置面１１に載置される原稿Ｄを照明するものである。光源１３の周囲には、光源１３が発した光を原稿載置面１１に集光する反射板１３ａが設けられている。撮像素子１４は、光源１３によって照明される原稿からの反射光を受光し、電気信号に変換する。結像光学系１５は、原稿Ｄからの反射光を撮像素子１４に結像する。この撮像素子１４は、本実施の形態において、電荷結合素子（ＣＣＤ：Charge Coupled Device）である。
【００２２】
また、撮像素子１４は、図５（ａ）に示すように、ＲＧＢの各色ごとのラインセンサ１４ａ〜１４ｃを備えている。これらラインセンサ１４ａ〜１４ｃは、上下方向に並べて配置されている。但し、この上下方向は副走査方向に対応している。すなわち、原稿からの反射光をミラー群１７により反射して撮像素子１４（結像レンズ１６）に導いていることから、撮像素子１４においては副走査方向が上下方向に変換されている。
【００２３】
結像光学系１５は、結像レンズ１６と、原稿からの反射光を結像レンズ１６に導くミラー群１７とを有する。結像レンズ１６は、複数枚のレンズを略円筒状の枠部材に固定したものである。上記枠部材としては、アルミニウムやガラス入りの樹脂などが用いられる。ミラー群１７は、第１ミラー１７ａ、第２ミラー１７ｂおよび第３ミラー１７ｃからなる。第１ミラー１７ａは、光源１３と共に第１走査ユニット２１に搭載されている。第２および第３ミラー１７ｂ，１７ｃは、第２走査ユニット２２に搭載されている。
【００２４】
上記構成において、光源１３から照射された光は、原稿台１２上に載置された原稿の表面で乱反射する。原稿の表面から下方に反射した光は、第１ミラー１７ａで反射され、その後第２ミラー１７ｂ、第３ミラー１７ｃで順に反射されて、結像レンズ１６に導かれる。
【００２５】
第１走査ユニット２１は、駆動モータ、プーリおよびワイヤからなる駆動系（図示せず）によって駆動され、矢印Ａ１の方向（読取方向）に一定の速度Ｖで移動する。以下、読取方向Ａ１とこの読取方向Ａ１の反対方向Ａ２とを含んで副走査方向Ａと称する。第２走査ユニット２２は、前記駆動系によって駆動され、第１走査ユニット２１の速度Ｖに対して２分の１の速度（Ｖ／２）で読取方向Ａ１に移動する。ミラー群１７は、これら第１走査ユニット２１および第２走査ユニット２２の移動に伴って、原稿台１２に沿って移動する。
【００２６】
撮像素子１４に結像される原稿内の位置（読取位置）は、ミラー群１７の移動に伴って走査始端Ｐ２から走査終端Ｐ１に移動する。第１走査ユニット２１と第２走査ユニット２２との移動中において、両者の速度比は２：１に保たれるので、原稿面から結像レンズ１６に至る光路長は一定に保たれる。これによって、走査始端Ｐ２から走査終端Ｐ１までの各読取位置において読み取られた原稿の画像が、撮像素子１４に適切に結像される。
【００２７】
なお、走査始端Ｐ２から外側の位置（走査始端Ｐ２からＡ２方向の位置）には、シェーディング補正用の基準白板３が設けられている。第１走査ユニット２１は、シェーディング補正のために、基準白板３の下に移動して、基準白板３の像を撮像素子１４に結像させることができる。
【００２８】
また、第１走査ユニット２１の基準となる位置を検知するために、図示しない位置センサが設けられている。この位置センサは、例えばフォトインタラプタであって、第１走査ユニット２１に設けられた遮光板がフォトインタラプタのスリット部を通過する位置で信号を検出する。この検知センサの検出信号に基づいて、第１および第２走査ユニット２１，２２を駆動する駆動モータの回転が制御される。
【００２９】
図２は、本発明の実施の形態のカラー原稿読取装置の調整方法によって調整されるカラー原稿読取装置の内部構造を示す斜視図である。
【００３０】
図２に示すカラー原稿読取装置において、結像レンズ１６は、撮像素子１４と一体化された撮像ユニット３１として、平坦な底板３３に取り付けられている。底板３３には、例えば表面に亜鉛メッキを施した鋼板が用いられている。また、第１走査ユニット２１と第２走査ユニット２２とは、結像レンズ１６の上方を通過して底板３３に沿う副走査方向に移動するように取り付けられている。この移動において、第１走査ユニット２１と第２走査ユニット２２とは、それぞれの両端部がガイドレールに支持され、ガイドレール上を移動する。
【００３１】
駆動モータ３５は、第１走査ユニット２１および第２走査ユニット２２を駆動するステッピングモータであり、図示しないモータ制御回路によって回転が制御される。駆動モータ３５の出力軸の回転は、図示しないタイミングベルトを介して駆動シャフト３９に伝達され、駆動シャフトの両端部に取り付けられた駆動プーリ３７ａ、３７ｂを回転させる。駆動プーリ３７ａ、３７ｂには、駆動ワイヤ４１ａ、４１ｂがそれぞれ巻かれており、さらに駆動ワイヤ４１ａ、４１ｂは、それぞれ第１走査ユニット２１と第２走査ユニット２２との両端部に固定されている。したがって、駆動プーリ３７ａ、３７ｂの回転は、駆動ワイヤ４１ａ、４１ｂによって直線運動に変換され、第１走査ユニット２１と第２走査ユニット２２を副走査方向に往復移動させる。駆動シャフト３９および駆動プーリ３７ａ、３７ｂは鋼製であり、駆動ワイヤ４１ａ、４１ｂとしてはスチールワイヤが用いられている。
【００３２】
結像レンズ１６の前方位置（入射側の位置）には、光の通過を規制し、撮像素子１４での読取画像の色ズレを防止するための遮光部材５１が設けられている。この遮光部材５１は、上下方向に移動可能な構成により上下方向の位置を調整可能となっており、かつ調整された任意の位置において固定できるようになっている。なお、遮光部材５１は、結像レンズ１６の後方位置（出射側の位置）に設けられていてもよい。いずれにしても、遮光部材５１は、上下方向に移動した位置において、撮像素子１４への入射光の一部を遮ることができるように構成されていればよい。
【００３３】
図３は、図２に示したカラー原稿読取装置の構成を示す電気ブロック図である。カラー原稿読取装置は、前述の原稿読取部２、画像処理部５、記憶部６および通信部８を備えている。原稿読取部２の撮像素子１４で読み取られた原稿の画像信号は、画像処理部６へ出力される。画像処理部５は、撮像素子１４からの入力された画像信号をＡ／Ｄ変換して画像データに変換し、その画像データに対して色変換処理およびフィルタ処理等の画像処理を施す。記憶部６は、画像処理部５が画像データに画像処理を施す際、一時的に処理対象の画像データを記憶する。また、記憶部６は、処理された画像データを通信部８を介して外部の機器へ転送し終えるまで保持する。通信部８は、画像処理部５を介して記憶部６からの画像データを受領し、外部の機器へ転送する。上記通信部８は例えばＰＣ（パーソナルコンピュータ）９と通信できるようになっている。
【００３４】
画像処理部５および通信部８は、例えば、ＣＰＵと、ＣＰＵが実行するプログラムを格納するＲＯＭ、作業用の記憶領域を提供するＲＡＭ、画像処理を行う各ブロックの設定値を記憶する不揮発性メモリ、画像処理用ならびに通信用の回路ブロックを集積したＬＳＩなどを用いた回路で構成することができる。記憶部６は、ＤＲＡＭや他の方式のメモリ素子で構成することができる。また、記憶部６には、ＨＤＤなどの記憶装置を適用することもできる。
【００３５】
次に、遮光部材５１について説明する。図４（ａ）は遮光部材５１およびこの遮光部材５１の位置調整のための構成を示す説明図であり、図４（ｂ）は図４（ａ）に示した遮光部材５１とは別の遮光部材５２およびこの遮光部材５２の位置調整のための構成を示す説明図である。
【００３６】
図４（ａ）に示す遮光部材５１は、主走査方向の光量分布を補正するために、遮光する側の辺（本実施の形態においては上側の辺）の中央部が凸形状となるように湾曲している。このような非直線形状の遮光部材５１は、両端部に対して中央部がより多く遮光する構成である。この遮光部材５１では、棒状の光源１３において中央部の光量が両端部の光量よりも多くなっている場合に、結像レンズ１６への中央部の入射光量を抑制し、結像レンズ１６に対して原稿からの反射光を主走査方向において均一な光量で入射できるようになっている。
【００３７】
なお、遮光部材５１は、例えば、両端部が支持部材５３によって支持され、これら支持部材５３に形成された上下方向に延びる長穴５３ａに、遮光部材５１に設けられた軸５１ａが挿入されている。この構成により遮光部材５１が上下方向に並行移動可能となっている。遮光部材５１を上下移動される構成については、これに限定されず、種々の周知の技術を適用可能である。
【００３８】
また、遮光部材５１を調整済の位置で固定するために、例えば、遮光部材５１を上からはばね５４で押し下げ、下からはねじ５５で押し上げるという構造としてもよい。この場合、遮光部材５１の上下位置はねじ５５を回すことにより調整される。また、遮光部材５１は、遮光部材５１の下端縁に配置された偏芯カムの回転によって上下移動させるようにしてもよい。
【００３９】
図４（ｂ）に示す遮光部材５２は、主走査方向に延びる開口部５２ｂを中央部に有している。開口部５２ｂの形状は、主走査方向の光量分布を補正するために、上下とも中央部が凹形状となるように湾曲している。言い換えると、遮光部材５２の開口部５２ｂを形成する上下の辺は中央部が凸形状となるように湾曲している。なお、５２ａは遮光部材５１の軸５１ａに対応する軸である。
【００４０】
このような遮光部材５２では、遮光のために使用する辺を開口部５２ｂに沿った上側の辺と下側の辺とで切り換えることにより、上側の入射光を遮光する状態と下側の入射光を遮光する状態とに切り換わるので、色ズレの補正方向を変更することができる。
【００４１】
上記の構成において、色ズレ補正のためのカラー原稿読取装置の調整方法について以下に説明する。ここで、結像レンズ１６は、一般に主走査方向と副走査方向とで異なる収差を有している。したがって、結像レンズ１６は、光軸周りに回転させることにより、主走査方向と副走査方向とのいずれか一方の色ずれが少ない状態で取り付けることができる。そこで、本実施の形態のカラー原稿読取装置の調整方法では、結像レンズ１６を主走査方向の色ずれが少ない状態で取り付けた上で、副走査方向の色ずれを低減できるように調整している。
【００４２】
図５（ａ）は結像レンズ１６の色収差により、撮像素子１４における各ラインセンサ１４ａ〜１４ｃの受光面に対して各色成分の光の焦点位置が前後している状態を示す説明図である。なお、ＦＲ、ＦＧ、ＦＢはそれぞれＲ色成分の光、Ｇ色成分の光、Ｂ色成分の光の焦点位置を示す。図５（ｂ）は、遮光部材５１によりラインセンサ１４ａ上におけるＲ色成分の光量分布を補正した状態を示す説明図、図５（ｃ）は、遮光部材５１によりラインセンサ１４ｂ上におけるＧ色成分の光量分布を補正した状態を示す説明図、図５（ｄ）は、遮光部材５１によりラインセンサ１４ｃ上におけるＢ色成分の光量分布を補正した状態を示す説明図である。
【００４３】
ラインセンサ１４ａ上におけるＲ色成分の光の焦点位置ＦＲは、図５（ａ）の状態において、ラインセンサ１４ａの入射面に対して後方に位置している。そこで、遮光部材５１を結像レンズ１６の下方から上方に向けて移動させ、ラインセンサ１４ａへの入射光の下部の一部を遮光する。これにより、図５（ｂ）に示すように、光量分布の中心が、ＯＲ１からその上方のＯＲ２へ移動する。この結果、焦点位置ＦＲは、ラインセンサ１４ａの入射面の後方位置から入射面に向かって前方に移動するので、Ｒ色成分についての１画素単位以下の色ズレを補正することができる。なお、光量分布の斜線部分が遮光部材５１により遮光された部分である。
【００４４】
ラインセンサ１４ｂ上におけるＧ色成分の光の焦点位置ＦＧは、図５（ａ）の状態において、ラインセンサ１４ｂのほぼ入射面（入射面に対して僅かに後方）に位置している。この状態において、上記のように、遮光部材５１を結像レンズ１６の下方から上方に向けて移動させると、ラインセンサ１４ａへの入射光の下部の一部が遮光され、図５（ｃ）に示すように、光量分布の中心が、ＯＧ１からその上方のＯＧ２へ移動する。この場合、焦点位置ＦＧはほとんど変化しない（僅かに入射面方向に移動する）ので、Ｇ色成分についての色ずれは発生ない。
【００４５】
ラインセンサ１４ｃ上におけるＢ色成分の光の焦点位置ＦＢは、図５（ａ）の状態において、ラインセンサ１４ｃの入射面に対して前方に位置している。そこで、遮光部材５１を結像レンズ１６の下方から上方に向けて移動させ、ラインセンサ１４ａへの入射光の下部の一部を遮光する。これにより、図５（ｄ）に示すように、光量分布の中心が、ＯＢ１からその下方のＯＢ２へ移動する。この結果、焦点位置ＦＢは、ラインセンサ１４ｃの入射面の前方位置から入射面に向かって後方に移動するので、Ｂ色成分についての１画素単位以下の色ズレを補正することができる。
【００４６】
上記のように、例えば、ＲＧ色成分の光の焦点位置がラインセンサ１４ａ，１４ｂの入射面もしくは入射面よりも後方に位置し、Ｂ色成分の光の焦点位置がラインセンサ１４ｃの入射面よりも前方に位置している場合には、遮光部材５１を上下方向に移動させることにより、ＲＧ色成分の光量分布が同じ方向に移動する一方、Ｂ色成分の光量分布が逆方向に移動するので、ＲＧ色成分とＢ色成分との間の色ズレを補正することができる。
【００４７】
なお、結像レンズ１６が図５（ａ）に示したものとは異なる色収差特性を有する場合、ＲＧＢ各色成分の焦点位置は図５（ａ）の状態とは異なるものとなり、したがって、遮光部材５１の移動による光量分布の変化も上記のものとは異なるものとなる。なお、結像レンズ１６の色収差特性を変更するのは、屈折率の異なるレンズを組み合わせて結像レンズ１６を構成する等の手法によって可能となる。
【００４８】
結像レンズ１６が図５（ａ）に示したものとは異なる色収差特性を有する例を図６（ａ）〜図６（ｄ）に示す。これら図６（ａ）〜図６（ｄ）は、それぞれ上記図５（ａ）〜図５（ｄ）に対応するものである。この例において、図６（ａ）に示すように、焦点位置ＦＲおよびＦＢは、ラインセンサ１４ａのほぼ入射面（入射面に対して僅かに後方）に位置し、焦点位置ＦＧはラインセンサ１４ｂの入射面に対して前方に位置している。
【００４９】
上記の状態において、遮光部材５１を結像レンズ１６の下方から上方に向けて移動させると、図６（ｂ）に示すように、Ｒ色成分の光量分布の中心が、ＯＲ１１からその上方のＯＧ１２へ移動し、焦点位置ＦＲはほとんど変化しない（僅かに入射面方向に移動する）ので、Ｒ色成分についての色ずれは発生ない。同様に、図６（ｄ）に示すように、Ｂ色成分の光量分布の中心が、ＯＢ１１からその上方のＯＢ１２へ移動し、焦点位置ＦＢはほとんど変化しない（僅かに入射面方向に移動する）ので、Ｂ色成分についての色ずれは発生ない。また、Ｇ色成分の光量分布の中心が、ＯＧ１１からその下方のＯＧ１２へ移動し、焦点位置ＦＧは、ラインセンサ１４Ｂの入射面の前方位置から入射面に向かって後方に移動するので、Ｇ色成分についての１画素単位以下の色ズレを補正することができる。
【００５０】
次に、色ズレ補正のためのカラー原稿読取装置の調整方法についてさらに具体的に説明する。カラー原稿読取装置の色ずれ補正の原理は上記のとおりである。以下では、カラー原稿読取装置の色ずれ補正をする上での具体的な作業手順について説明する。
【００５１】
カラー原稿読取装置の色ずれ補正には、図７に示す基準原稿（ラダーチャート）６１を使用する。この基準原稿６１は、白黒の縞模様が記されたものであり、この白黒の縞模様は、例えば、１ｄｏｔ幅で主走査方向に延びる棒状の画像が４ｄｏｔ間隔で複数本、副走査方向に並ぶように配置されることにより形成されている。
【００５２】
カラー原稿読取装置では、上記基準原稿６１をスキャンして読み取り、撮像素子１４からのＲＧＢ出力をＡ／Ｄ変換（256階調）して、データサンプルを取得する。取得したデータサンプルはＰＣ９に送られる（図３参照）。
【００５３】
ＰＣ９では、データサンプルを表計算ソフト（例えばマイクロソフトエクセル（登録商標））に取り込み、データサンプルの数値から（必要であれば数値を補間して）図７の下部に示すグラフを作成する。このグラフは、基準原稿６１についての副走査方向におけるＲＧＢ各色についての階調の変化を示すものである。
【００５４】
ここで、ＲＧＢの各色間に副走査方向の色ズレが生じていると、図７に示すように、各色のグラフは互いに副走査方向にずれたものとなる。そこで、上述した、遮光部材５１を移動させる色ずれ補正を行い、その後、再度基準原稿６１をカラー原稿読取装置に読み取らせて上記グラフを作成し、色ずれが消滅したか否かを確認する。この一連の作業を繰り返すことにより、色ずれ補正のためのカラー原稿読取装置の調整を行う。
【００５５】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【図面の簡単な説明】
【００５６】
【図１】図１（ａ）は、本実施の形態のカラー原稿読取装置の調整方法に使用されるカラー原稿読取装置における、原稿に対しての走査開始前の状態を示す説明図、図１（ｂ）は、上記カラー原稿読取装置における、原稿に対しての走査終了時の状態を示す説明図である。
【図２】図２は、本発明の実施の形態のカラー原稿読取装置の調整方法によって調整されるカラー原稿読取装置の内部構造を示す斜視図である。
【図３】図２に示したカラー原稿読取装置の構成を示す電気ブロック図である。
【図４】図４（ａ）は遮光部材およびこの遮光部材の位置調整のための構成を示す説明図であり、図４（ｂ）は図４（ａ）に示した遮光部材とは別の遮光部材およびこの遮光部材の位置調整のための構成を示す説明図である。
【図５】図５（ａ）は結像レンズの色収差により、撮像素子における各ラインセンサの受光面に対して各色成分の光の焦点位置が前後している状態を示す説明図、図５（ｂ）は、遮光部材によりラインセンサ上におけるＲ色成分の光量分布を補正した状態を示す説明図、図５（ｃ）は、遮光部材によりラインセンサ上におけるＧ色成分の光量分布を補正した状態を示す説明図、図５（ｄ）は、遮光部材によりラインセンサ上におけるＢ色成分の光量分布を補正した状態を示す説明図である。
【図６】図６（ａ）は、図５（ａ）に示した結像レンズとは異なる色収差特性を有する結像レンズを使用した場合において、結像レンズの色収差により、撮像素子における各ラインセンサの受光面に対して各色成分の光の焦点位置が前後している状態を示す説明図、図６（ｂ）は、遮光部材によりラインセンサ上におけるＲ色成分の光量分布を補正した状態を示す説明図、図６（ｃ）は、遮光部材によりラインセンサ上におけるＧ色成分の光量分布を補正した状態を示す説明図、図６（ｄ）は、遮光部材によりラインセンサ上におけるＢ色成分の光量分布を補正した状態を示す説明図である。
【図７】図２に示したカラー原稿読取装置の色ずれ補正に使用する基準原稿と、この基準原稿を読み込んで取得したデータサンプルに基づいて作成したＲＧＢ各色の色ずれ状態を示すグラフである。
【符号の説明】
【００５７】
２    原稿読取部
１４    撮像素子
14a〜14c  ラインセンサ
１６    結像レンズ
５１    遮光部材
５１ａ  軸
５２    遮光部材
５２ａ  
５２ｂ  開口部
５３    支持部材
５３ａ  長穴
５４    ばね
５５    ねじ
【図１】
0005000574.tif 000002
【図２】
0005000574.tif 000003
【図３】
0005000574.tif 000004
【図４】
0005000574.tif 000005
【図５】
0005000574.tif 000006
【図６】
0005000574.tif 000007
【図７】
0005000574.tif 000008